(57)【要約】【課題】放送サービスの番組の変更、時間延長，タイムシフト等の編成変更指示に対し、他の関連性ある複数のサービスに自動反映させることにある。【解決手段】営業放送システムからの放送進行データを構成するマルチリンク情報の中から指定される特定サービスの階段編成接続指示を受付ける階段接続指示受付手段１１と、この受付けた接続指示に基づいて、放送進行データのマルチリンク情報の中から所定の条件を満たす自動接続するマルチリンク情報を検索する自動接続判定手段１２と、この判定手段により判定された接続可能なマルチリンク情報に基づいて各サービスに階段接続を実行する階段接続実行手段１３と、この階段接続の実行によって更新された放送進行データである制御データを所要とする機器に分配する手段１４とを設け、放送進行データをもとにまだら編成を含めた階段編成の連動接続を実行する編成管理サーバである。【選択図】　　図３
2004120114.tif 000002
【特許請求の範囲】
【請求項１】
番組の基本的な編成情報である放送枠情報及び当該放送枠情報間の階段編成の接続情報を管理するマルチリンク情報をもつ放送進行データを作成し出力する営業放送システムと、
この営業放送システムからの放送進行データを受信し、特定のサービス区分を含む階段編成接続指示やタイムシフト指示を受けたとき、前記マルチリンク情報及び放送枠情報を用いて、前記特定のサービス区分のサービスの接続指示やタイムシフトに対し、当該サービスに関連する他のサービスの連動接続やタイムシフト処理を実行し、この実行結果を所要とする他のシステムに分配する編成管理サーバと
を備えたことを特徴とする編成管理システム。
【請求項２】
放送進行データをもとにまだら編成を含めた階段編成の連動接続を実行する編成管理サーバにおいて、
前記放送進行データを構成するマルチリンク情報の中から指定される特定サービスの階段編成接続指示を受付ける階段接続指示受付手段と、
この受付手段で受付けた接続指示に基づいて、前記放送進行データのマルチリンク情報の中から所定の条件を満たす自動接続するマルチリンク情報を検索する自動接続判定手段と、
この自動接続判定手段によって判定された接続可能なマルチリンク情報に基づいて各サービスに階段接続を実行する階段接続実行手段と
を備えたことを特徴とする編成管理サーバ。
【請求項３】
放送進行データをもとにまだら編成を含めた階段編成の連動接続を実行するコンピュータに、
前記放送進行データを構成するマルチリンク情報の中から指定される特定サービスの階段編成接続指示を受付ける階段接続指示受付機能と、この受付機能で受付けた接続指示に基づいて、前記放送進行データのマルチリンク情報の中から所定の条件を満たす自動接続するマルチリンク情報を判定する自動接続判定機能と、この自動接続判定機能によって判定された接続可能なマルチリンク情報に基づいて各サービスの階段接続を実行する階段接続実行機能と、この階段接続の実行によって更新された放送進行データである制御データを所要とする機器に分配する機能とを実現させる前記コンピュータ読取り可能なプログラム。
【請求項４】
放送進行データをもとにまだら編成のタイムシフト処理を実行する編成管理サーバにおいて、
前記放送進行データの特定サービス内の放送枠情報の中から指定される基点の放送枠及びシフト時間等のタイムシフト指示を受付けるタイムシフト指示受付手段と、
この受付手段からの指定放送日内の放送枠情報がイベント共有もしくはサイマル放送と一体関係にあれば、タイムシフト指示にに基づき、前記基点放送枠以降の他サービスに対するタイムシフト基点放送枠も連動タイムシフト指示とみなす連動タイムシフト判定手段と、
この連動タイムシフト判定手段から通知されるサービス毎のタイムシフト情報をもとにタイムシフト処理を実行するタイムシフト実行手段と
を備えたことを特徴とする編成管理サーバ。
【請求項５】
放送進行データをもとにまだら編成のタイムシフト処理を実行するコンピュータに、
前記放送進行データの特定サービス内の放送枠情報の中から指定される基点の放送枠及びシフト時間等のタイムシフト指示を受付けるタイムシフト指示受付機能と、この受付機能からの指定放送日内の放送枠情報がイベント共有もしくはサイマル放送と一体関係にあれば、タイムシフト指示にに基づき、前記基点放送枠以降の他サービスに対するタイムシフト基点放送枠も連動タイムシフト指示とみなす連動タイムシフト判定機能と、この機能から通知されるサービス毎のタイムシフト情報をもとにタイムシフト処理を実行するタイムシフト実行機能と、このタイムシフト処理によって更新された放送進行データである制御データを所要とする機器に分配する機能とを実現させる前記コンピュータ読取り可能なプログラム。
【請求項６】
放送進行データをもとに番組の放送時間が変動する編成処理を実行する編成管理サーバにおいて、
少なくともＥＩＴ（イベント情報テーブル：Ｅｖｅｎｔ　Ｉｎｆｏｒｍａｔｉｏｎ　Ｔａｂｌｅ）転送指示時等を受けた場合、放送年月日，サービス区分をパラメータとするＥＩＴ転送指示情報を発生するＥＩＴ転送指示手段と、
このＥＩＴ転送指示手段からのパラメータのもとに、前記放送進行データからパーシャル枠へ分岐するマルチリンク情報を検索し、自動延長候補情報を作成するとともに、親枠の放送終了時間とこれら自動延長候補情報の予定時間とから不要な自動延長候補情報を抹消する放送データ分配手段と、
この放送データ分配手段によって残った自動延長候補情報の中から最もシフト量の小さい自動延長候補情報を延長時間補正対象とし、シフト対象枠以降のＥＰＧ開始時間に対するシフト量を計算し、補正したＥＰＧ開始時間をもつ自動延長ＥＩＴデータを生成する自動延長処理手段と、
この自動延長処理手段よって生成された自動延長ＥＩＴデータをもとに、前記ＥＩＴの開始時間を生成するＥＩＴ生成手段と
を備えたことを特徴とする編成管理サーバ。
【請求項７】
放送進行データをもとに番組の放送時間が変動する編成処理を実行するコンピュータに、
少なくともＥＩＴ転送指示時等を受けた場合、放送年月日，サービス区分をパラメータとするＥＩＴ転送指示情報を発生するＥＩＴ転送指示機能と、この機能からのパラメータのもとに、前記放送進行データからパーシャル枠へ分岐するマルチリンク情報を検索し、自動延長候補情報を作成するとともに、親枠の放送終了時間とこれら自動延長候補情報の予定時間とから不要な自動延長候補情報を抹消する放送データ分配機能と、この分配機能によって残った自動延長候補情報の中から最もシフト量の小さい自動延長候補情報を延長時間補正対象とし、シフト対象枠以降のＥＰＧ開始時間に対するシフト量を計算し、補正したＥＰＧ開始時間をもつ自動延長ＥＩＴデータを生成する自動延長処理機能と、この自動延長処理手段よって生成された自動延長ＥＩＴデータをもとに、前記ＥＩＴの開始時間を生成するＥＩＴ生成機能とを実現させる前記コンピュータ読取り可能なプログラム。
【発明の詳細な説明】
【０００１】
【発明の属する技術分野】
本発明は、多チャンネルをもつデジタル放送等に利用される編成管理システム、編成管理サーバ、編成管理方法及びプログラムに係わり、特にある番組の時間延長、タイムシフトを他の関連性あるチャンネルにも反映させる編成管理システム、編成管理サーバ及びプログラムに関する。
【０００２】
【従来の技術】
従来のアナログ放送においては、ローカルな放送サービスは放送局ごとに一チャンネルしか存在しない。従って、野球等の番組の延長決定による編成接続指示や特別番組発生時のタイムシフト処理は、一つの放送サービスだけについて考慮すれば解決できる。また、野球等のごとき放送時間が変動する編成では、番組の一部分を切り出した放送枠に接続指示に従って延長して行く階段延長処理は、ＥＰＧ（電子番組ガイド：Ｅｌｅｃｔｒｏｎｉｃ　Ｐｒｏｇｒａｍ　Ｇｕｉｄｅ）を意識せずに編成することが可能である。
【０００３】
図１７は従来のアナログ放送の編成を説明する図である。
【０００４】
このアナログ放送の編成は、ナイター放送に対する編成であって、「１．雨中止時」、「２．最大延長時」、「３．早終了時」、「４．定時終了時」、「５．１０分延長時」からなる階段編成となっている。２０分延長等も用意されている。なお、図中のＭ１０１，Ｍ１０２，…は編成の識別番号である。「１．雨中止時」は降雨によるナイター放送中止時の編成であり、「２．最大延長時」は、ナイター決行時、図示矢印に示す接続指示に従って「１．雨中止時」編成から分岐し、ナイター放送を行なう最大延長を考慮した最大延長編成である。「３．早終了時」、「４．定時終了時」、「５．１０分延長時」は、ナイター放送終了時刻によって選択される編成であって、「２．最大延長時」からの接続指示によって一度だけ決定される編成である。通常、「５．１０分延長時」によるナイター延長枠を取込んだとき、レギュラーの「ドラマ」番組以降がその時間分だけタイムシフトされる。また、「４．定時終了時」及び「５．１０分延長時」は、便宜上の番組であって、定時終了前数分前にコマーシャルやイベントが入り、視聴者から見れば、これらの枠はナイター番組と考えられている。
【０００５】
従って、前述するように従来のアナログ放送サービスでは、予め予定された編成を組み、放送の進行に伴って接続指示を出しながら接続替えを実行し、放送サービスを行っている。
【０００６】
ところで、近年、地上波デジタル放送においては、放送サービスが多チャンネル化され、複数のサービスが提供可能となっている。この地上波デジタル放送は、従来のアナログサービスに加え、ＨＤ（高精細：Ｈｉｇｈ　Ｄｅｆｉｎｉｔｉｏｎ）サービス、ＳＤ（標準画質：Ｓｔａｎｄａｒｄ　Ｄｅｆｉｎｉｔｉｏｎ）サービス、携帯サービス、移動体サービスなどが提供されている。
【０００７】
図１８は地上波デジタル放送のサービス及び編成イメージを説明する図である。同図に示すサービスのうち、デジタル放送のＨＤ／ＳＤ１サービスは、親サービス区分に属するサービスであり、ＨＤ／ＳＤ１と同じ番組内容がアナログサービス，携帯サービス，移動体サービスに利用するサイマル放送となっている。
【０００８】
ＨＤ／ＳＤ１サービスは、そのサービス内に番組コンテンツを含んだ状態で送信される。ＳＤ２，ＳＤ３は、ＨＤ／ＳＤ１に対する子サービス区分に属するサービスである。
【０００９】
これらサービスの中の番組Ａ，番組ＢはＨＤ番組であり、番組Ｘは任意のＳＤ番組の例である。ＨＤ／ＳＤ１サービスには、ＡＲＩＢ（電波産業会：Ａｓｓｏｃｉａｔｉｏｎ　ｏｆ　Ｒａｄｉｏ　Ｉｎｄｕｓｔｒｉｅｓ　ａｎｄ　Ｂｕｓｉｎｅｓｓ）取決めのＳＴＤ−Ｂ１０規格によるイベント共有方式に基づき、一部に放送進行データを記述するＰＭＴ（プログラムマップテーブル：Ｐｒｏｇｒａｍ　Ｍａｐ　Ｔａｂｌｅ）のＥＳ（符号化された映像，音声，字幕／文字スーパー，データカルーセルのストリーム：Ｅｌｅｍｅｎｔａｒｙ　Ｓｔｒｅａｍ）内に、ＨＤ／ＳＤ１サービスを構成するＥＳのＰＩＤ（パケットＩＤ）を記述することにより、受信機側では番組選択したときに同一番組内容の視聴が可能となる。
【００１０】
【発明が解決しようとする課題】
ところで、以上のような地上波デジタル放送においては、多チャンネル化することにより、次のような問題点が指摘されている。
【００１１】
１）　１サービス目が時間不定期な野球等のごとき階段編成のＨＤ放送の場合、時間延長が決定された場合に階段接続指示を行なうが、各サービス内でそれぞれ図１７に示す階段編成を組むことになるので、例えばイベント共有枠のあるＳＤ２及びＳＤ３サービス或いはサイマル放送サービスの階段接続指示はそれぞれ個別に行う必要がある。
【００１２】
２）　ＨＤ／ＳＤ１サービスのＨＤ番組放送時、特番発生等の事情によって番組のタイムシフトを行う必要が生じた場合、前記１）と同様の理由により、ＳＤ２及びＳＤ３サービスのイベント共有番組或いはサイマル放送サービスの番組もタイムシフトさせる必要があり、特にサイマル放送サービスの場合には同時にシフトされる必要から、サービスに影響が出てくる。
【００１３】
３）　野球等のごとき放送時間が変動する編成において、番組の一部分を切り出した放送枠を作成することは図１７に示す従来のアナログ放送の「４．定時終了時」、「５．１０分延長時」でも行われているが、地上波デジタル放送では、ＥＰＧにかかる編成を組込んだ場合でも各サービスで適切に放送し難い問題がある。
【００１４】
本発明は上記事情に鑑みてなされたもので、アナログ、デジタルの多チャンネル放送サービスを行うに際し、一つの放送サービスの番組延長，タイムシフト等の編成変更指示に対し、他の関連性ある複数のサービスに短時間、かつ、自動的に反映させ、放送運行管理の省力化を実現する編成管理システム、編成管理サーバ及びプログラムを提供することを目的とする。
【００１５】
【課題を解決するための手段】
（１）　上記課題を解決するために、本発明に係わる編成管理システムは、少なくとも番組の基本的な編成情報である放送枠情報及び当該放送枠情報間の階段編成の接続情報を管理するマルチリンク情報をもつ放送進行データを作成し出力する営業放送システムと、この営業放送システムからの放送進行データを受信し、特定のサービス区分を含む階段編成接続指示やタイムシフト指示を受けたとき、前記マルチリンク情報及び放送枠情報を用いて、前記特定のサービス区分のサービスの接続指示やタイムシフトに対し、当該サービスに関連する他のサービスの連動接続やタイムシフト処理を実行し、この実行結果を所要とする他のシステムに分配する編成管理サーバとを設けた編成管理システムである。
【００１６】
本発明は以上のような構成とすることにより、多チャンネルの地上放送サービスを行うに際し、一つの放送サービスの番組延長，タイムシフト等の編成変更指示に対し、他の関連性ある複数のサービスに短時間、かつ、自動的に反映させることが可能となり、放送運行管理の省力化を図ることが可能である。
【００１７】
（２）　本発明に係わる編成管理サーバは、放送進行データをもとにまだら編成を含めた階段編成の連動接続を実行する編成管理サーバであって、
前記放送進行データを構成するマルチリンク情報の中から指定される特定サービスの階段編成接続指示を受付ける階段接続指示受付手段と、この受付手段で受付けた接続指示に基づいて、前記放送進行データのマルチリンク情報の中から所定の条件を満たす自動接続するマルチリンク情報を検索する自動接続判定手段と、この自動接続判定手段によって判定された接続可能なマルチリンク情報に基づいて各サービスに階段接続を実行する階段接続実行手段とを設け、変更された放送進行データである放送制御データを、変更があった複数のサービス分について必要な装置に分配するものである。
【００１８】
本発明は以上のような構成とすることにより、複数のサービスの編成変更について、人間系が個別的なサービス毎に編成変更操作を行うことなく、関連する複数のサービスについて自動的に編成変更等を行うことが可能であり、放送運行者による煩雑さを回避し、スムーズに編成を変更することが可能である。
【００１９】
【発明の実施の形態】
以下、本発明の実施の形態について図面を参照して説明する。
【００２０】
図１は本発明に係わる編成管理システムの一実施の形態を示す系統構成図である。
【００２１】
この編成管理システムは、番組を構築するに必要な各種の映像、音声等の番組コンテンツを管理する番組バンク／カート１及びコマーシャルコンテンツを管理するＣＭ（コマーシャル）バンク２からそれぞれコンテンツを取込んで番組の編成処理を実行するとともに、その番組の編成状態を表わす放送進行データを出力する放送局内の上位システムである営業放送システム３と、この営業放送システム３から提供される素材マスタデータとなる放送進行データを受信し、ある放送サービスに番組延長、タイムシフト等が発生したとき、最適な時間延長、タイムシフト時間を算出し、当該放送進行データから関連性のある他のサービスにも自動的に反映させる最適な放送制御データを生成し、前記番組バンク／カート１、ＣＭバンク２及び自動番組制御装置４に分配する編成管理サーバ５とが設けられている。
【００２２】
この放送進行データＢ１は、図２に示すように番組の基本的な編成情報をもつ放送枠情報Ｒ１、放送枠に対応するＰＭＴ（プログラムマップテーブル：Ｐｒｏｇｒａｍ　Ｍａｐ　Ｔａｂｌｅ）／ＥＩＴ（イベント情報テーブル：Ｅｖｅｎｔ　Ｉｎｆｏｒｍａｔｉｏｎ　Ｔａｂｌｅ）の情報を管理するＰＳＩ（番組特定情報：Ｐｒｏｇｒａｍ　Ｓｐｅｃｉｆｉｃ　Ｉｎｆｏｒｍａｔｉｏｎ）／ＳＩ（番組配列情報：Ｓｅｒｖｉｃｅ　Ｉｎｆｏｒｍａｔｉｏｎ）Ｒ２、放送枠内の番組の進行明細（本編，提供，ＣＭ）の放送スケジュール情報となる枠内進行情報Ｒ３及び放送枠情報Ｒ１間の段階編成における接続情報を管理するマルチリンク情報Ｒ４等から構成されている。
【００２３】
この放送枠情報Ｒ１は、前述する番組の基本的な編成情報であって、放送年月日、サービス区分、ブロックＮＯ、ケースＮＯ、放送枠コードにより、番組を特定できる情報をもっている。また、放送枠種別（ＨＤ枠，ＳＤ枠，イベント共有枠かの識別データ）、サイマル識別（サイマル放送か否かの識別データ）、親サービス区分（イベント共有枠もしくはサイマル放送枠の場合での親となるサービス区分を示す）を管理する。その他、放送枠情報Ｒ１は、番組の名称、番組開始時刻、番組終了時刻等の基本的な属性も保持している。
【００２４】
一方、前記マルチリンク情報Ｒ４は、放送年月日、サービス区分、ＦＲＯＭ枠キー（ブロックＮＯ、ケースＮＯ、放送枠コード）、Ｔｏ枠キー（ブロックＮＯ、ケースＮＯ、放送枠コード）により、放送枠情報Ｒ１間のつながりを示す情報をもっている。また、サービス間の段階編成の接続を連動させるための連動指定情報を管理する。この連動指定情報は、自動接続したい子側サービス上のマルチリンク情報上に何れを親サービスとするかの情報が保持されている。
【００２５】
また、編成管理システムには、編成管理サーバ５からＳＩ（番組配列情報）を受け取り、ユーザの要望するインタラクティブな電子番組ガイド（ＥＰＧ）を実現するＳＩ／ＥＰＧサーバ６及び複数チャンネルのサービスを一つにまとめて出力する符号化多重装置７が設けられている。８は複数チャンネルのサービスを送信する送信所である。前記自動番組制御装置４は、編成管理サーバ５から配信される最適な放送制御データに含まれるＰＳＩ（番組特定情報）を取得し、符号化多重装置７に送出する機能をもっている。
【００２６】
（実施の形態１）
図３は本発明に係わる編成管理サーバ５の一実施の形態を示す構成図であって、ＨＤ（高精細）番組、ＳＤ（標準画質）番組が混在するまだら編成を含んだ階段編成の連動接続を実現する例である。すなわち、この編成管理サーバ４は、１ヵ所のサービスに対する階段編成の接続指示に基づき、自動的に他サービスの階段編成の接続を連動させる例である。
【００２７】
この編成管理サーバ５は、具体的には、営業放送システム３から受信する放送進行データの特定サービス内のマルチリンク情報Ｒ４を表示し、そのマルチリンク情報Ｒ４の中からオペレータの手動によって指定される特定サービス区分の階段編成の接続指示を受付ける階段接続指示受付手段１１と、自動接続判定手段１２と、階段接続実行手段１３と、放送データ分配手段１４によって構成されている。
【００２８】
この自動接続判定手段１２は、階段接続指示受付手段１１によって受付けられたマルチリンク情報Ｒ４の接続指示のもとに放送進行データ内のマルチリンク情報を検索し、下記の条件に合致するマルチリンク情報Ｒ４を抽出する。この抽出されたマルチリンク情報Ｒ４は、自動接続指示があるとみなし、階段接続実行手段１３に通知する。
【００２９】
ここで、前記条件とは次の通りである。
【００３０】
＊　放送年月日…階段接続指示受付手段１１による指定と一致。
【００３１】
＊　サービス区分…階段接続指示受付手段１１による指定と異なる。
【００３２】
＊　ＦＲＯＭ枠キー（ブロックＮＯ，ケースＮＯ，放送枠コード）…階段接続指示受付手段１１による指定と一致。
【００３３】
＊　Ｔｏキー（ブロックＮＯ，ケースＮＯ，放送枠コード）…階段接続指示受付手段１１による指定と一致。
【００３４】
＊　連動指定情報…階段接続指示受付手段１１による指定サービス区分と一致。
【００３５】
前記階段接続実行手段１３は、階段接続指示受付手段１１によって受付けられたオペレータ指定による階段接続指示及び自動接続判定手段１２によってみなされた自動接続指示をもとに、階段接続を実行する。具体的には、放送進行データ内の放送枠情報Ｒ１の番組開始時刻、終了時刻を時間延長に応じてタイムシフトを行う機能をもっている。
【００３６】
前記放送データ分配手段１４は、階段接続実行手段１３によって更新された放送進行データに関し、更新があった複数のサービス分について自動的に番組バンク／カート１、ＣＭバンク２及び自動番組制御装置４等に分配する。
【００３７】
次に、以上のような編成管理サーバ４の動作について図４を参照して説明する。
【００３８】
今、営業放送システム３から送られてくる放送進行データＢ１には、放送枠情報Ｒ１，ＰＳＩ／ＳＩ情報Ｒ２，枠内進行情報Ｒ３の他、番組間を接続するマルチリング情報Ｒ４が保持されている。このマルチリンク情報Ｒ４にはサービス間の階段編成の接続を連動されるための連動指定情報があるが、ここには例えばＳＤ２サービス内のマルチリンク情報（レギュラー→Ｍ１０１）に何れが親サービス区分かを示す連動サービス指定：“ＨＤ／ＳＤ１”のリンク情報（子サービスが何れを親サービスとするかを示すリンク情報）が付加されている。
【００３９】
以上のような状態において、階段接続指示受付手段１１では、受信した放送進行データの特定サービス内のマルチリンク情報Ｒ４を表示する。オペレータは、そのマルチリンク情報Ｒ４の中から手動による選択操作によって特定サービス区分の階段編成に関する接続指示が入力されると、特定サービス区分の階段編成接続指示であると判断し、親サービス例えばＨＤ／ＳＤＩサービスにてマルチ接続指示を自動接続判定手段１２に送出する。
【００４０】
この自動接続判定手段１２は、階段接続指示受付手段１１によって受付けられたマルチリンク情報Ｒ４の接続指示をもとに放送進行データ内のマルチリンク情報を検索し、所定の条件に合致するマルチリンク情報Ｒ４を抽出し、階段接続実行手段１３に通知する。
【００４１】
そこで、階段接続実行手段１３は、オペレータから指定された段階接続指示及び自動接続判定手段１２による自動接続指示をもとに、ＳＤ２サービス内のマルチリンク情報（レギュラー→Ｍ１０１）のリンク情報をもつ連動指定情報に従って自動的に該当サービスに接続指示を行う。その結果、各サービスは編成ルートの変更及びレギュラーに戻った番組以降について自動的にタイムシフト処理を実行する。
【００４２】
放送データ分配手段１４は、更新された放送進行データである放送制御データを自動的に番組バンク／カート１、ＣＭバンク２及び自動番組制御装置４等に順次分配する。
【００４３】
従って、以上のような実施の形態によれば、複数のサービスの編成変更及びタイムシフト処理に関し、人間系が個別的なサービス毎に編成変更及びタイムシフト操作を行うことなく、関連する複数のサービスについて自動的に変更等を行うことが可能であり、放送運行者による煩雑さを回避し、スムーズに変更等を行うことができる。
【００４４】
なお、編成管理サーバ５がＣＰＵで構成されている場合、予め記録媒体（図示せず）に前記編成管理サーバ５の一連の処理を実行する編成処理用プログラムを記憶し、番組の時間延長等の発生時に図５に示す編成処理手順に従って編成処理を実現することも可能である。
【００４５】
すなわち、編成管理サーバ５のＣＰＵは、番組の時間延長等の発生時、図５に示すように、記録媒体から編成処理用プログラムを読み取り、営業放送システム３からの放送進行データが有るかいなかを判断し（Ｓ１）、有りの場合には放送進行データの特定サービス内のマルチリンク情報を表示する。ここで、オペレータからマルチリンク情報の中から特定サービス区分の階段編成の接続指示が選択指定されたか否かを判断し（Ｓ３）、選択指定有りと判断された場合には特定サービス区分の階段編成の接続指示を受付け、適宜な記憶手段に一時格納する（Ｓ４）。これにステップＳ１〜Ｓ４は階段接続指示受付機能に相当する。
【００４６】
引き続き、記憶された特定サービス区分のマルチリンク情報の接続指示をもとに、放送進行データ内から所定の条件に合致するマルチリンク情報が存在するか否かを判断し、所定の条件に合致するマルチリンク情報を抽出する（Ｓ５，Ｓ６：自動接続判定機能）。
【００４７】
しかる後、階段接続指示受付機能によって受付けられたオペレータ指定による階段接続指示及び自動接続判定機能によって見なされた自動接続指示をもとに、階段接続を実行する（Ｓ７：階段接続実行機能）。そして、この階段接続実行機能によって更新された放送進行データである制御データに関し、更新があった複数のサービス分について自動的に番組バンク／カート１、ＣＭバンク２及び自動番組制御装置４等に分配する（Ｓ８：放送データ分配機能）。
【００４８】
従って、ＣＰＵによるプログラム処理おいても、前記編成管理サーバ５と同様の効果を奏することができる。
【００４９】
（実施の形態２）
図６は本発明に係わる編成管理サーバ５の他の実施の形態を示す構成図であって、実施の形態１と同様に、ＨＤ番組、ＳＤ番組が混在するまだら編成において、１ヵ所のサービスに対するタイムシフト操作によって自動的に他のサービスのタイムシフトを連動させる例である。この例は、例えば突発的な特番発生等が生じたとき、当該特番によってタイムシフトした分だけ他のサービスもタイムシストさせるものである。
【００５０】
この編成管理サーバ５は、具体的には、営業放送システム３から受信する放送進行データの特定サービス内の放送枠情報Ｒ１を表示し、この放送枠情報Ｒ１の中からオペレータの手動によって基点の放送枠及びシフト時間を選択させることにより、特定のサービス区分内のタイムシフト指示を受付けるタイムシフト指示受付手段２１、連動タイムシフト判定手段２２、タイムシフト実行手段２３及び放送データ分配手段２４によって構成されている。
【００５１】
前記連動タイムシフト判定手段２２は、タイムシフト指示受付手段２１からの指定放送日内の放送枠情報Ｒ１がイベント共有もしくはサイマル放送と一体関係にあれば、タイムシフト指示に基づき、基点放送枠以降の他サービスに対するタイムシフト基点放送枠も連動タイムシフト指示がある基点放送枠とみなし、タイムシフト実行手段２３に送出する。
【００５２】
このタイムシフト実行手段２３は、連動タイムシフト判定手段２２から通知されるサービス毎のタイムシフト情報をもとにタイムシフト処理を行う。放送データ分配手段２４は、タイムシフト実行手段２３によって更新された放送進行データである放送制御データを、自動的に更新があった複数のサービス分について番組バンク／カート１、ＣＭバンク２及び自動番組制御装置４等に分配する機能をもっている。
【００５３】
次に、以上のような編成管理サーバ５の動作について図７ないし図１０を参照して説明する。
【００５４】
放送進行データＢ１の放送枠情報Ｒ１には、番組の基本的な編成情報が保持されている。この情報とは、放送年月日，サービス区分，ブロックＮＯ，放送枠コードの他、ＨＤ番組，ＳＤ番組，イベント共有番組かを識別する放送枠種別などが設定されている。また、イベント共有番組の場合、親サービスを示す親サービス区分の情報も同時に管理されている。これにより、イベント共有番組が親枠（本体枠）に対応付けられている。一方、サイマル放送番組の場合、サイマル識別及び親サービス区分を管理することにより、同様にサイマル対象親枠とのリンク付けが可能となる（図７参照）。
【００５５】
以上のような状態において、営業放送システム３から放送進行データを受信すると、編成管理サーバ５のタイムシフト指示受付手段２１は、放送進行データの特定サービス内の放送枠情報Ｒ１を表示し、この放送枠情報Ｒ１の中からオペレータが手動操作によって基点の放送枠及びシフト時間を指定すると、特定のサービス区分内のタイムシフト指示有りと判断し、指定放送日内の基点の放送枠及びシフト時間を含む放送枠情報を連動タイムシフト判定手段２２に送出する。
【００５６】
この連動タイムシフト判定手段２２は、一体関係抽出ステップ、自動タイムシフト基点放送枠判定ステップ、サービス別タイムシフト指示情報生成ステップの順序で処理を実行する。
【００５７】
この一体関係抽出ステップにおいては、タイムシフト指示受付手段２１から指定放送日内の放送枠情報を受けると、この放送枠情報がイベント共有もしくはサイマル放送と一体関係にあるか、以下の放送進行データＢ１の放送枠情報Ｒ１上の情報をもとに関係づけを行う。
【００５８】
＊　放送年月日…タイムシフト指示受付手段２１による指定と一致。
【００５９】
＊　サービス区分…全サービス間を検索。
【００６０】
＊　放送枠種別…イベント共有枠である場合、親サービス区分の同一放送枠（ブロックＮＯ，ケースＮＯ，放送枠コードが一致）と一体関係があるとみなす。
【００６１】
＊　サイマル識別…サイマル放送枠てある場合、親サービス区分の同一放送枠（ブロックＮＯ，ケースＮＯ，放送枠コードが一致）と一体関係があるとみなす。
【００６２】
図８はサイマル番組及びイベント共有による関係を対応付けた例である。親サービス／子サービスに拘らず、連動してタイムシフトによる時間シフトを行う必要がある。
【００６３】
自動タイムシフト基点放送枠判定ステップでは、タイムシフト指示受付手段２１から指定された特定サービス区分内のタイムシフト指示に対し、基点放送枠以降において、一体関係抽出ステップにて一体関係のある放送枠が存在する場合、別サービス内の一体関係のある放送枠を、他サービスに対するタイムシフト基点放送枠とみなす。他サービスのタイムシフト基点放送枠は、最初に判定された１枠のみとする。
【００６４】
引き続き、サービス別タイムシフト指示情報生成ステップを実行する。このステップは、タイムシフト指示受付手段２１によってオペレータから指定されたタイムシフト基点放送枠の他、自動タイムシフト基点放送枠判定ステップで判定された別サービスのタイムシフト基点放送群を、連動タイムシフト指示がある基点放送枠とみなし、タイムシフト実行手段２３に通知する。
【００６５】
このタイムシフト実行手段２３は、タイムシフト実行手段２３から通知されるサービス毎のタイムシフト情報をもとにタイムシフト処理を実行する。具体的には、各サービス毎に放送進行データＢ１内の基点放送枠以降の放送枠情報Ｒ１の番組開始時刻、終了時刻を指定シフト量に対応して順次時間変更を実施していく。
【００６６】
因みに、図９及び図１０はＨＤ／ＳＤ１サービスの番組▲２▼からタイムシフトとした例であって、図９はシフト実行前、図１０はシフト実行後を示す図である。つまり、サイマル指定或いはイベント共有指定により関連付けられた枠を基点とし、各サービスにおいて自動的にタイムシフト処理を実行する。
【００６７】
しかる後、放送データ分配手段２４では、更新された放送進行データを、自動的に更新があった複数サービス分について番組バンク／カート１、ＣＭバンク２及び自動番組制御装置４等に順次分配する。
【００６８】
従って、以上のような実施の形態によれば、放送進行データの特定サービス内の放送枠情報の中から基点の放送枠及びシフト時間を指定すると、特定のサービス区分内のタイムシフト指示に基づき、関連する他の複数のサービスについてもタイムシフト処理を反映でき、複数のチャンネルサービスのタイムシフト処理を短時間、かつ、正確に行うことができる。
【００６９】
なお、編成管理サーバ５がＣＰＵで構成されている場合、予め記録媒体（図示せず）に前記編成管理サーバ５の一連の処理を実行する編成処理用プログラムを記憶し、あるサービスのタイムシフト処理に対し、関連ある他のチャンネルサービスについても、図３に示す処理手順に従ってタイムシフト処理を実現することが可能である。
【００７０】
（実施の形態３）
本発明に係わる編成管理サーバのさらに他の実施形態について説明する。
【００７１】
この実施の形態は、野球等の放送時間が変動する番組編成において、番組の一部分を切り出した放送枠を管理することにより、延長に応じたＥＰＧを送出する例である。この放送枠を、以下、説明の便宜上、パーシャル（部分）枠と呼ぶ。
【００７２】
この編成は、従来のアナログ放送では一般的な手法であるが、本発明は、地上波デジタル放送においても同様に踏襲できるように実現することにある。
【００７３】
（１）　先ず、パーシャル枠の概念導入について図１１を参照して説明する。
【００７４】
１）　パーシャル枠は番組用に限定する。従って、番組と番組との間となるＳＢ（ステーションブレーク枠）には用いない。その理由は、ＳＢのＥＩＴ（イベント情報テーブル：Ｅｖｅｎｔ　Ｉｎｆｏｒｍａｔｉｏｎ　Ｔａｂｌｅ）が存在しないためである。また、パーシャル枠を識別するために、番組にパーシャル枠識別情報（パーシャル枠／通常枠）を管理するものとする。
【００７５】
２）　パーシャル枠は、ＰＳＩ（番組特定情報：Ｐｒｏｇｒａｍ　Ｓｐｅｃｉｆｉｃ　Ｉｎｆｏｒｍａｔｉｏｎ）／ＳＩ（番組配列情報：Ｓｅｒｖｉｃｅ　Ｉｎｆｏｒｍａｔｉｏｎ）を不要とする。これはパーシャル枠はあくまでも親番組の一部であり、ＰＳＩ／ＳＩ情報としては親枠と共通である為である。
【００７６】
３）　ＥＩＴに対するパーシャル枠の扱い。
【００７７】
パーシャル枠が接続された場合、確定指示された接続情報により判断されるＥＩＴ親枠と一体とみなして処理を行う。ＥＩＴ親枠の終了時刻（番組時間）を確定された最後のパーシャル枠で補正する。図１１の例は、野球（定時）→３０分延長→２０分延長でマルチ確定させた場合、識別データＭ１０４の枠終了時刻とレギュラーにあるＥＩＴ親枠の野球（定時）の終了時刻との差分により、ＥＩＴ親枠のＥＩＴ終了時刻を補正する。
【００７８】
４）　ＥＩＴ親枠から通常枠（パーシャル枠でない枠）への接続指示時、ＥＩＴ親枠の終了時刻を補正する処理を行い、かつ、接続された通常枠のＥＩＴを送出対象とする。これは野球が早終了したときに野球の終了時刻が早まり、その後に野球放送とは別早降り用フイラー番組が放送されることを考慮する必要があるためである。因みに、図１１の例はＭ１０１に接続指示した場合に相当する。
【００７９】
次に、図１２は本発明に係わる編成管理サーバの実施形態を示す構成である。
【００８０】
この編成管理サーバは、階段接続指示時、タイムシフト指示時、或いは自動／手動によるＥＩＴ（イベント情報テーブル：Ｅｖｅｎｔ　Ｉｎｆｏｒｍａｔｉｏｎ　Ｔａｂｌｅ）転送指示時等を受けたとき、放送年月日，サービス区分をパラメータとするＥＩＴ転送指示情報を発生するＥＩＴ転送指示手段３１と、このＥＩＴ転送指示手段３１からのパラメータをもとに、放送進行データＢ１を検索し、自動延長ＥＩＴデータＥ１を作成する放送データ分配手段３２と、この放送データ分配手段３２から渡される自動延長ＥＩＴデータＥ１をもとに、時計情報Ｔ１を用いて、ＥＰＧ開始時刻（自動補正後）を自動編集してなる自動延長ＥＩＴデータＥ２を生成する自動延長処理手段３３と、この自動延長処理手段３３により生成される自動延長ＥＩＴデータＥ２をもとに、ＥＩＴの開始時刻を編集し最終的なＥＩＴを作成し、所要とする各装置１，２，４，６に送出する。
【００８１】
次に、以上のように構成された編成管理サーバ５の動作について説明する。
【００８２】
（１）　先ず、階段接続指示時、タイムシフト指示時或いは自動／手動によるＥＩＴ転送指示等が入力されると、ＥＩＴ転送指示手段３１は、放送年月日，サービス区分をパラメータとするＥＩＴ転送指示情報を発生し、放送データ分配手段３２に送出する。
【００８３】
（２）　この放送データ分配手段３２は、ＥＩＴ転送指示手段３１からのパラメータをもとに、放送進行データＢ１を検索し、所要とする構成要素をもつ自動延長ＥＩＴデータＥ１を作成する。
【００８４】
（２ａ）　この自動延長ＥＩＴデータＥ１の代表的な構成要素は次の通りである。
【００８５】
１）　放送キー配列（Ｆ１）：特定放送日、サービス区分内の放送予定ルートの放送枠情報の並びをいう。これは、放送年月日，サービス区分，ブロックＮＯ，ケースＮＯ，放送枠コードによって構成される。
【００８６】
２）　番組名称（Ｆ２）：前記放送枠キー配列内のそれぞれの放送枠の番組名称である。
【００８７】
３）　ＥＰＧ開始時刻（抽出時刻）（Ｆ３）：前記放送キー配列内のそれぞれの放送枠のＥＰＧ開始時刻である。
【００８８】
４）　ＥＰＧ開始時刻（自動補正後）（Ｆ４）：この放送データ分配手段３２では使用せずに、後記する自動延長処理手段３３で使用する。
【００８９】
５）　自動延長候補情報（Ｆ５）：前記放送キー配列内の一つの放送枠に対し、自動延長処理用の情報として複数存在が可能である。この自動延長候補情報（Ｆ５）は、予定時刻（Ｆ５１）、シフト対象枠（Ｆ５２）及びシフト量（Ｆ５３）とにより構成されている。
【００９０】
（２ｂ）　自動延長ＥＩＴデータ（Ｅ１）の抽出処理。
【００９１】
１）　現在の放送ルートのもとに、放送進行データＢ１から該当放送日，サービス区間内の放送キー配列（Ｆ１）、番組名称（Ｆ２）、ＥＰＧ開始時刻（Ｆ３）を抽出する。
【００９２】
２）　この抽出された放送キー配列上の枠の中からパーシャル枠へ分岐するマルチリンク情報Ｒ４を探し、自動延長候補情報（Ｆ５）を作成する。この自動延長候補情報（Ｆ５）の予定時刻（Ｆ５１）には該当パーシャル枠の放送開始時刻を編集し、シフト対象枠（Ｆ５２）及びシフト量（Ｆ５３）には、該当パーシャル枠が存在するルートが階段接続されたと仮定した場合のタイムシフトが発生する放送枠キー配列（Ｆ１）上のポイント及びシフト量（＋／−　時分秒）を編集する。
【００９３】
３）　前記２）によって検索されたパーシャル枠から分岐するパーシャル枠に対しても、同様に自動延長候補情報（Ｆ５）を作成する。
【００９４】
４）　自動延長候補情報（Ｆ５）の予定時刻（Ｆ５１）が放送キー配列（Ｆ１）上の親枠の放送終了時刻を越える場合には該当自動延長候補情報（Ｆ５）は抹消する。
【００９５】
５）　自動延長候補情報（Ｆ５）をもつ放送キー配列（Ｆ１）上の親枠についても、自動延長候補情報（Ｆ５）として抽出する。この場合、予定時刻（Ｆ５１）は親枠の終了時刻とし、シフト対象枠（Ｆ５２）は放送キー配列（Ｆ１）上の次枠、シフト量（Ｆ５３）が結果として常に０となる。
【００９６】
（２ｃ）　自動延長ＥＩＴデータ（Ｅ１）の転送処理。
【００９７】
抽出された自動延長ＥＩＴデータ（Ｅ１）は、一括して自動延長処理手段３３に送出する。
【００９８】
（３）　自動延長処理手段３３は、放送データ分配手段３２から渡される自動延長ＥＩＴデータ（Ｅ１）をもとに、時計情報（Ｔ１）を用いて、ＥＰＧ開始時刻（Ｆ４）を自動編集する。
【００９９】
このＥＰＧ開始時刻の自動編集は次の自動編集アルゴリズムによって行う。
【０１００】
１）　自動延長候補情報（Ｆ５）の抹消亜処理：時計情報による現在日時（日付／時分秒）と自動延長候補情報（Ｆ５）上の予定時刻（Ｆ５１）とを比較し、予定時刻が過去と判断された自動延長候補情報（Ｆ５）の抹消を行う。この場合、比較時の補正時間α秒を管理するものとする。この抹消処理は、放送データ分配手段３２より通知を受けた場合に駆動され、当該処理後、次の２）のステップに流れる。また、放送データ分配手段３２からの通知が無い場合にも、時計情報による毎秒の比較判断が行われ、新たに自動延長候補情報（Ｆ５）の抹消が発生した場合には同様に次の２）のステップに流れる。
【０１０１】
２）　シフト量最小判断処理：前記１）による候補情報の抹消処理後、残っている自動延長候補情報（Ｆ５）の中から符号を含めて一番小さいシフト量（Ｆ５３）の候補を延長時間補正対象として採用する。
【０１０２】
３）　ＥＰＧ開始時刻（Ｆ４）の編集：放送枠キー配列（Ｆ１）に対し、前記２）で採用された自動延長候補情報を保持するシフト対象枠（Ｆ５２）以降のＥＰＧ開始時刻（Ｆ３）に対して、シフト量（Ｆ５３）を加算し、補正したＥＰＧ開始時刻（Ｆ４）を算出する。
【０１０３】
４）　自動延長ＥＩＴデータ（Ｅ２）の転送処理：前記１）〜３）のステップによって補正された自動延長ＥＩＴデータ（Ｅ２）をＥＩＴ生成手段３４に送出する。
【０１０４】
（４）　このＥＩＴ生成手段３４は、自動延長処理手段３３により生成された補正された自動延長ＥＩＴデータ（Ｅ２）をもとに、ＥＩＴの開始時刻を編集し、最終的なＥＩＴを作成し、例えばＳＩ／ＥＰＧサーバ６等に送出する。なお、この場合におけるＥＩＴ開始時刻はＥＰＧ開始時刻を採用する。
【０１０５】
次に、具体的にナイター延長が行われる例について説明する。
【０１０６】
（１）ナイター延長前（レギュラープロで運行中）（図１３参照）
先ず、放送データ分配処理手段３１は、概略次のような処理を実行する。
【０１０７】
▲１▼　現在の放送ルートをもとに、同図（ｂ）に示すように、放送進行データから該当放送日、サービス区分内の放送キー配列、番組名称、ＥＰＧ開始時刻を抽出し、この抽出された内容から接続可能なケースを抽出する。
【０１０８】
▲２▼　対象はパーシャル枠のみとする（Ｍ１０２）。
【０１０９】
▲３▼　さらに、同図（ａ）に示すごとく、抽出されたパーシャル枠（Ｍ１０２）から接続可能なパーシャル枠も対象とする（Ｍ１０３，Ｍ１０４を抽出）。
【０１１０】
▲４▼　パーシャル枠に対する親枠の放送終了時刻を越える自動延長候補情報は対象外とする。ここでの放送終了時刻とは、パーシャル枠接続時の補正後終了時刻２０：５３：００とする。その結果、２１：００：００以降のパーシャル枠Ｍ１０３，Ｍ１０４が抹消される。
【０１１１】
▲５▼　放送ルート上のパーシャル枠の親枠も抽出対象とする（レギュラーを抽出）ａ）　レギュラー枠の場合…予定時刻は、レギュラー枠終了時刻とする。従って、この場合にはシフト量は０となる。
【０１１２】
ｂ）　パーシャル枠の場合…予定時刻は、自枠終了時刻となる。シフト量は計算する（同図ｂ参照）。
【０１１３】
次に、自動延長処理手段３２は、次のような処理を実行する。
【０１１４】
▲７▼　現在時刻を基準とし、自動延長候補情報／予定時刻に対し、−αで自動延長候補情報を抹消する。この例におけるタイミングでは、抹消対象はまだない状態である。
【０１１５】
▲８▼　不要とする全ての自動延長候補情報を抹消後、残った自動延長候補情報の中からシフト量が一番小さい候補を採用し（同図ｂに示す矢印ＮＥＸＴ）、指定枠以降のＥＰＧ開始時刻に対し、シフト量に応じて自動的に補正する。自動補正は翌日データでも行われる。
【０１１６】
（２）ナイター延長決定（最大延長に接続）（図１４参照）…放送ルート／自動延長候補情報再送の場合。
【０１１７】
先ず、放送データ分配処理手段３１は、概略次のような処理を実行する。
【０１１８】
▲１▼　現在の放送ルートをもとに、同図（ｂ）に示すように、放送進行データから該当放送日、サービス区分内の放送キー配列、番組名称、ＥＰＧ開始時刻を抽出し、この抽出された内容から接続可能なケースを抽出する（放送ルート上からＭ１０２）。
【０１１９】
▲２▼　対象はパーシャル枠のみとする（Ｍ１０３，Ｍ１０４を抽出）。
【０１２０】
▲３▼　さらに、同図（ａ）に示すごとく、抽出されたパーシャル枠（Ｍ１０３，Ｍ１０４）から接続可能なパーシャル枠も対象とする（該当なし）。
【０１２１】
▲４▼　パーシャル枠に対する親枠の放送終了時刻を越える自動延長候補情報は対象外とする。ここでの放送終了時刻とは、パーシャル枠接続時の補正後終了時刻２１：２３：００とする（該当なし）。
【０１２２】
▲５▼　放送ルート上のパーシャル枠の親枠も抽出対象とする（Ｍ１０２を抽出）ａ）　レギュラー枠の場合…予定時刻は、レギュラー枠終了時刻とする。従って、この場合にはシフト量は０となる。
【０１２３】
ｂ）　パーシャル枠の場合…予定時刻は、自枠終了時刻となる。シフト量は計算する（同図ｂ参照）。
【０１２４】
次に、自動延長処理手段３２は、次のような処理を実行する。
【０１２５】
▲７▼　現在時刻を基準とし、自動延長候補情報／予定時刻に対し、−αで自動延長候補情報を抹消する。この例におけるタイミングでは、抹消対象はまだない状態である。
【０１２６】
▲８▼　不要とする全ての自動延長候補情報を抹消後、残った自動延長候補情報の中からシフト量が一番小さい候補を採用し（同図ｂに示す矢印ＮＥＸＴ）、指定枠以降のＥＰＧ開始時刻に対し、シフト量に応じて自動的に補正する。従って、この時点では、結果的に１０分延長の候補情報が採用され、１０分延長のＥＰＧが送出される。
【０１２７】
（３）ナイター１０分延長を越え２０分延長に突入時（図１５参照）…放送ルート／自動延長候補情報の再送なしの場合。
【０１２８】
自動延長処理手段３２は、次の処理を実行する。
【０１２９】
▲１▼　現在時刻を基準とし、自動延長候補情報／予定時刻に対し、−αで自動延長候補情報を抹消する。１０分延長用の２１：００：００が抹消される。
【０１３０】
▲２▼　不要とする全ての自動延長候補情報を抹消後、残った自動延長候補情報の中からシフト量が一番小さい候補を採用し（同図ｂに示す矢印ＮＥＸＴ）、指定枠以降のＥＰＧ開始時刻に対し、シフト量に応じて自動的に補正する。従って、この時点では、結果的に２０分延長の候補情報が採用され、２０分延長のＥＰＧが送出される。
【０１３１】
（４）ナイター２０分延長に決定（図１６参照）…放送ルート／自動延長候補情報の再送の場合。
【０１３２】
先ず、放送データ分配処理手段３１は、概略次のような処理を実行する。
【０１３３】
▲１▼　現在の放送ルートをもとに、同図（ｂ）に示すように、放送進行データから該当放送日、サービス区分内の放送キー配列、番組名称、ＥＰＧ開始時刻を抽出し、この抽出された内容から接続可能なケースを抽出する（放送ルート上からＭ１０２→Ｍ１０４）。
【０１３４】
▲２▼　対象はパーシャル枠のみとする（該当なし）。
【０１３５】
▲３▼　さらに、同図（ａ）に示すごとく、抽出されたパーシャル枠から接続可能なパーシャル枠も対象とする（該当なし）。
【０１３６】
▲４▼　パーシャル枠に対する親枠の放送終了時刻を越える自動延長候補情報は対象外とする。ここでの放送終了時刻とは、パーシャル枠接続時の補正後終了時刻２１：１３：００とする（該当なし）。
【０１３７】
▲５▼　放送ルート上のパーシャル枠の親枠も抽出対象とする（Ｍ１０４を抽出）ａ）　レギュラー枠の場合…予定時刻は、レギュラー枠終了時刻とする。従って、この場合にはシフト量は０となる。
【０１３８】
ｂ）　パーシャル枠の場合…予定時刻は、自枠終了時刻となる。シフト量は計算する（同図ｂ参照）。
【０１３９】
次に、自動延長処理手段３は、次のような処理を実行する。
【０１４０】
▲７▼　現在時刻を基準とし、自動延長候補情報／予定時刻に対し、−αで自動延長候補情報を抹消する。この例におけるタイミングでは、抹消対象はまだない状態である。
【０１４１】
▲８▼　不要とする全ての自動延長候補情報を抹消後、残った自動延長候補情報の中からシフト量が一番小さい候補を採用し（同図ｂに示す矢印ＮＥＸＴ）、指定枠以降のＥＰＧ開始時刻に対し、シフト量に応じて自動的に補正する。従って、この時点では、結果的に２０分延長の候補情報が採用され、２０分延長のＥＰＧが送出される。
【０１４２】
従って、以上のような実施の形態によれば、野球等の放送時間が変動する番組編成において、番組の一部分を切り出した放送枠を管理し、従来のアナログ放送の編成方法を変えずに、時間延長に応じて正確なＥＰＧを作成し送出できる。
【０１４３】
なお、編成管理サーバ５がＣＰＵで構成されている場合、予め記録媒体（図示せず）に前記編成管理サーバ５の一連の処理を実行するプログラムを記憶し、番組の時間延長に対し、図１２に示す処理手順に従って、正確に補正されたＥＰＧ開始時間，すなわちＥＩＴ開始時刻をもつＥＩＴを作成し、送出することができる。
【０１４４】
その他、本願発明は、上記実施の形態に限定されるものでなく、その要旨を逸脱しない範囲で種々変形して実施できる。
【０１４５】
また、各実施の形態は可能な限り組み合わせて実施することが可能であり、その場合には組み合わせによる効果が得られる。さらに、上記各実施の形態には種々の上位，下位段階の発明が含まれており、開示された複数の構成要素の適宜な組み合わせにより種々の発明が抽出され得るものである。例えば問題点を解決するための手段に記載される全構成要件から幾つかの構成要件が省略されうることで発明が抽出された場合には、その抽出された発明を実施する場合には省略部分が周知慣用技術で適宜補われるものである。
【０１４６】
【発明の効果】
以上説明したように本発明によれば、アナログ、デジタルの多チャンネル放送サービスを行うに際し、一つの放送サービスの番組延長，タイムシフト等の編成変更指示に対し、他の関連性ある複数のサービスに短時間、かつ、自動的に反映させ、放送運行管理の省力化を実現できる編成管理システム、編成管理サーバ及びプログラムを提供できる。
【図面の簡単な説明】
【図１】本発明に係る番組編成管理システムの一実施の形態を示す系統構成図。
【図２】図１に示す営業放送システムから番組編成管理サーバに送られる放送進行データのデータ構成図。
【図３】本発明に係わる番組編成管理サーバの一実施の形態を示すブロック構成図。
【図４】図３に示す番組編成管理サーバにおける段階編成のサービス間接続指示の自動連動接続を説明する図。
【図５】プログラムによる処理例を説明するフローチャート。
【図６】本発明に係わる番組編成管理サーバの他の実施の形態を示すブロック構成図。
【図７】図５に示す番組編成管理サーバにおける番組単位の連動指定を説明する図。
【図８】実際の番組の連動指示例を説明する図。
【図９】番組連動による自動タイムシフトを説明する図。
【図１０】同様に番組連動による自動タイムシフトを説明する図。
【図１１】パーシャル枠の概念導入を説明する図。
【図１２】本発明に係る番組編成管理システムのさらに他の実施の形態を示す系統構成図。
【図１３】ナイター延長前の延長候補情報のシフト量を説明する図。
【図１４】ナイター延長決定時における延長候補情報のシフト量を説明する図。
【図１５】ナイター１０分延長を越え２０分延長突入時における延長候補情報のシフト量を説明する図。
【図１６】ナイター２０分延長を最終決定した場合の延長候補情報のシフト量を説明する図。
【図１７】従来のアナログ放送の編成例を説明する図。
【図１８】地上波デジタル放送における現状のサービス／番組編成を説明する図。
【符号の説明】
１…番組バンク／カート
２…ＣＭバンク
３…営業放送システム
４…自動番組制御装置
５…番組編成管理サーバ
６…ＳＩ／ＥＰＧサーバ
７…符号化多重装置
８…送信所
１１…階段接続指示受付手段
１２…自動接続判定手段
１３…階段接続実行手段
１４…放送データ分配手段
２１…タイムシフト指示受付手段
２２…連動タイムシフト判定手段
２３…タイムシフト実行手段
２４…放送データ分配手段
３１…ＥＩＴ転送指示手段
３２…放送データ分配手段
３３…自動延長処理手段
３４…ＥＩＴ生成手段
【図１】
2004120114.tif 000003
【図２】
2004120114.tif 000004
【図３】
2004120114.tif 000005
【図４】
2004120114.tif 000006
【図５】
2004120114.tif 000007
【図６】
2004120114.tif 000008
【図７】
2004120114.tif 000009
【図８】
2004120114.tif 000010
【図９】
2004120114.tif 000011
【図１０】
2004120114.tif 000012
【図１１】
2004120114.tif 000013
【図１２】
2004120114.tif 000014
【図１３】
2004120114.tif 000015
【図１４】
2004120114.tif 000016
【図１５】
2004120114.tif 000017
【図１６】
2004120114.tif 000018
【図１７】
2004120114.tif 000019
【図１８】
2004120114.tif 000020